【手続補正書】
【提出日】平成27年7月10日(2015.7.10)
【手続補正１】
【補正対象書類名】特許請求の範囲
【補正対象項目名】全文
【補正方法】変更
【補正の内容】
【特許請求の範囲】
【請求項１】
モジュール型棚システムにおいて、
背板部及び基部を有する棚支持フレーム、及び
前記棚フレームの前記背板部に着脱可能な態様で結合される少なくとも１つの展示棚モジュール、
を備え、
前記少なくとも１つの展示棚モジュールが、
前記少なくとも１つの展示棚モジュールの内部空間を定める、天板、随意的な底板及び側板、
前記少なくとも１つの展示棚モジュールの前面に取り付けられた表示パネルであって、前記少なくとも１つの展示棚モジュールの前面の幅方向に延在する、表示パネル、
前記少なくとも１つの展示棚モジュールの内部空間内に配置されるフローティングフレームであって、前記天板及び前記底板から隔てられたベースを含む、フローティングフレーム、及び
少なくとも１つのプロジェクタが内部に配置される前記少なくとも１つの展示棚モジュールの前記天板及び前記底板から隔てられるように、前記少なくとも１つの展示棚モジュールの前記内部空間内に配置され、前記フローティングフレームの前記ベース上に配置される、少なくとも１つのプロジェクタであって、前記表示パネルの前面上に画像データが見えるように、前記少なくとも１つの展示棚モジュールの前面に向かって、前記少なくとも１つのプロジェクタが内部に配置される前記少なくとも１つの展示棚モジュールの前記表示パネルの背面上に光信号を投射する少なくとも１つのプロジェクタ、
を有し、
前記少なくとも１つの展示棚モジュールを前記棚支持フレームの前記背板部上で縦方向に位置決めできるように、前記少なくとも１つの展示棚モジュールが前記棚支持フレームの前記背板部に着脱可能な態様で結合される、
ことを特徴とするモジュール型棚システム。
【請求項２】
前記棚支持フレームが前記背板部に形成された取付開口のアレイを有し、前記取付開口アレイの個々の取付開口は縦方向に規則的な間隔で隔てられる、及び
前記少なくとも１つの展示棚モジュールが少なくとも１つの取付クリップを有し、前記少なくとも１つの取付クリップは、前記少なくとも１つの展示棚モジュールが前記棚支持フレームの前記背板部に着脱可能な態様で結合されるように、前記背板部の対応する取付開口に嵌合する、
ことを特徴とする請求項１に記載のモジュール型棚システム。
【請求項３】
隣接展示棚モジュール間の縦方向距離が調節可能であるように前記棚支持フレームの前記背板部に着脱可能な態様で結合された複数の展示棚モジュールを含むことを特徴とする請求項１に記載のモジュール型棚システム。
【請求項４】
前記少なくとも１つのプロジェクタから前記表示パネルの前記背面までの光路が前記少なくとも１つの展示棚モジュールの前記内部空間内に収められていることを特徴とする請求項１に記載のモジュール型棚システム。
【請求項５】
前記少なくとも１つの展示棚モジュールの前記内部空間内に配置された複数の光学コンポーネントをさらに備え、前記複数の光学コンポーネントが、集光レンズ、画像デバイダ、複数の集束レンズ、前方ミラー及び少なくとも１つの後方ミラーを含み、
前記画像デバイダが、前記少なくとも１つのプロジェクタからの前記光信号が前記画像デバイダ上に入射するように配置され、前記画像デバイダは前記少なくとも１つのプロジェクタからの前記光信号を複数の個別光信号に分割し、前記複数の個別光信号を前記前方ミラー上に向ける、
前記集光レンズが、前記光信号が前記少なくとも１つのプロジェクタから投射されたときに前記光信号が前記画像デバイダに到達する前に前記集光レンズを通過するように、前記少なくとも１つのプロジェクタと前記画像デバイダの間の光路に配置され、前記集光レンズは前記少なくとも１つのプロジェクタから投射された前記光信号を高密度化する、
前記複数の集束レンズのそれぞれは前記複数の個別光信号の光路に、前記複数の個別光信号のそれぞれが前記前方ミラーに到達する前に集束レンズを通過するように配置され、前記複数の集束レンズは前記複数の光信号を前記前方ミラー上に集束させる、及び
前記前方ミラーが前記表示パネルの近傍に配置され、前記少なくとも１つの後方ミラーが前記少なくとも１つの展示棚モジュールの後端近傍に配置され、前記前方ミラーは前記複数の個別光信号を前記少なくとも１つの後方ミラー上に向けて方向転換させるように方位が定められ、前記少なくとも１つの後方ミラーは前記複数の個別光信号を前記表示パネルの前記背面上に向けて方向転換させるように方位が定められる、
ことを特徴とする請求項１に記載のモジュール型棚システム。
【請求項６】
前記フローティングフレームが基部及び前記基部に取り付けられた少なくとも１つのカンチレバー式支持アームを有することを特徴とする請求項１に記載のモジュール型棚システム。
【請求項７】
前記少なくとも１つのプロジェクタの制御回路に通信可能な態様で接続された少なくとも１つの光検出器をさらに備え、前記少なくとも１つの光検出器は前記少なくとも１つのプロジェクタからの前記光信号の少なくとも一部が前記少なくとも１つの光検出器上に入射するように配置され、前記少なくとも１つの光検出器が前記光信号の強度を表す強度信号を前記制御回路に送ることを特徴とする請求項１に記載のモジュール型棚システム。
【請求項８】
警報インジケータをさらに備え、前記光信号の光強度が閾レベルを下回っていることを前記強度信号が示すと前記警報インジケータが作動されることを特徴とする請求項７に記載のモジュール型棚システム。
【請求項９】
前記少なくとも１つの展示棚モジュール内に配置されたバーコードリーダー、及び
前記少なくとも１つのプロジェクタ及び前記バーコードリーダーに通信可能な態様で接続された外部コンピュータシステム、
をさらに備え、
前記外部コンピュータシステムが、前記外部コンピュータシステムのメモリに格納されたマシンによる読出し及び実行が可能な命令セットで、
前記命令セットが前記外部コンピュータのプロセッサによって実行されるときに、前記外部コンピュータシステムが、
スキャンされたバーコードを表す信号を前記バーコードリーダーから受け取る、
前記スキャンされたバーコードに関連付けられた製品を識別するため、バーコードにしたがって索引が付けられた製品情報のデータベースを検索する、及び
前記製品に関する製品情報を前記少なくとも１つのプロジェクタによって前記表示パネル上に投影する、
ようにプログラムされる、
ことを特徴とする請求項１に記載のモジュール型棚システム。
【請求項１０】
前記外部コンピュータがさらに、
ユーザに顧客アカウント情報を入力するように促すプロンプトを前記少なくとも１つのプロジェクタによって前記表示パネル上に投影する、及び
前記ユーザから受け取った前記顧客アカウント情報に関連付けられた電子アカウントに前記製品に関する製品情報を格納する、
ようにプログラムされる、
ことを特徴とする請求項９に記載のモジュール型棚システム。
【請求項１１】
前記外部コンピュータシステムがさらに、前記顧客アカウント情報に関連付けられた電子メールアドレスに前記製品に関する製品情報を電子メールで送るようにプログラムされることを特徴とする請求項１０に記載のモジュール型棚システム。
【請求項１２】
前記少なくとも１つの展示棚モジュールの前記表示スクリーンがタッチスクリーンであることを特徴とする請求項１に記載のモジュール型棚システム。
【請求項１３】
前記タッチスクリーンが、
前記少なくとも１つの展示棚モジュールの前記内部空間内に配置され、前記表示パネルの前記背面を照明するように構成された、１つ以上の赤外線バックライト、及び
前記少なくとも１つの展示棚モジュールの前記内部空間内に配置され、前記表示パネルの前記背面の画像を取り込むように方位が定められた、１つ以上の検出器、
を有することを特徴とする請求項１２に記載のモジュール型棚システム。
【請求項１４】
前記少なくとも１つの展示棚モジュールの前記内部空間内に配置され、アレイ光を下方に向けて、縦方向に隣接する展示棚モジュール上に投射するように方位が定められた、立体照明装置、及び
前記少なくとも１つのプロジェクタ及び前記立体照明装置に通信可能な態様で接続された外部コンピュータシステム、
をさらに備え、
前記外部コンピュータシステムが、前記外部コンピュータシステムのメモリに格納されたマシンによる読出し及び実行が可能な命令セットで、
前記命令セットが前記外部コンピュータのプロセッサによって実行されるときに、前記外部コンピュータシステムが、
前記投射されたアレイ光の取り込まれた画像を表すデータ信号を前記立体照明装置から受け取る、
前記投射されたアレイ光の前記取り込まれた画像を、前記縦方向に隣接する展示棚モジュールが前記縦方向に隣接する展示棚モジュール上にあらかじめ定められた量の製品を有するときの前記アレイ光の画像と比較する、及び
前記投射されたアレイ光の前記取り込まれた画像の前記縦方向に隣接する展示棚モジュールが前記縦方向に隣接する展示棚モジュール上にあらかじめ定められた量の製品を有するときの前記アレイ光の前記画像との前記比較に基づいて、前記前記縦方向に隣接する展示棚モジュール上に配置されている製品の量を決定する、
ようにプログラムされる、
ことを特徴とする請求項１に記載のモジュール型棚システム。
【請求項１５】
前記少なくとも１つの展示棚モジュールが、前記少なくとも１つの展示棚モジュールの前記内部空間内に配置され、前記少なくとも１つの展示棚モジュールの下側に配置された隣接展示棚モジュールの画像を取り込むように方位が定められた、立体視装置をさらに有することを請求項１に記載のモジュール型棚システム。
【請求項１６】
前記棚支持フレームの前記背板部を介して前記少なくとも１つに展示棚モジュールに電力が供給されることを特徴とする請求項１に記載のモジュール型棚システム。
【請求項１７】
前記棚支持フレームの前記背板部が、電源に接続される電気コンタクトを含む取付開口を有する、及び
前記展示棚モジュールが、前記少なくとも１つの展示棚モジュールの前記内部空間に配置される前記プロジェクタに取り付けられた少なくとも１つの対応する電気コンタクトを有し、前記少なくとも１つの展示棚モジュールが前記棚支持フレームの前記背板部に着脱可能な態様で結合されたときに、前記少なくとも１つの対応する電気コンタクトが、前記背板部の前記取付開口の前記電気コンタクトに電気的に接続されて前記少なくとも１つの展示棚モジュールの前記少なくとも１つのプロジェクタに電力が供給される、
ことを特徴とする請求項１６に記載のモジュール型棚システム。
【請求項１８】
展示棚モジュールにおいて、
前記展示棚モジュールの内部空間を定める、天板、随意的な底板及び側板、
少なくとも１つの取付クリップであって、棚支持フレームの背板部の対応する取付開口との嵌合のための少なくとも１つの取付クリップ、
前記展示棚モジュールの前面に取り付けられた表示パネルであって、前記展示棚モジュールの全面の幅方向に延在する、表示パネル、
前記展示棚モジュールの内部空間内に配置されるフローティングフレームであって、前記天板及び前記底板から隔てられたベースを含む、フローティングフレーム、及び
少なくとも１つのプロジェクタが内部に配置される前記展示棚モジュールの前記天板及び前記底板から隔てられるように、前記展示棚モジュールの前記内部空間内に配置され、前記フローティングフレームの前記ベース上に配置される、少なくとも１つのプロジェクタであって、前記表示パネルの前面上に画像データが見えるように、前記展示棚モジュールの前面に向かって、前記少なくとも１つのプロジェクタが内部に配置される前記展示棚モジュールの前記表示パネルの背面上に光信号を投射する少なくとも１つのプロジェクタ、
を有し、
前記少なくとも１つのプロジェクタから前記表示パネルの前記背面までの光路が前記展示棚モジュールの前記内部空間内に収められている、
ことを特徴とする展示棚モジュール。
【請求項１９】
前記展示棚モジュールの前記内部空間内に配置された複数の光学コンポーネントをさらに有し、前記複数の光学コンポーネントが、集光レンズ、画像デバイダ、複数の集束レンズ、前方ミラー及び少なくとも１つの後方ミラーを含み、
前記画像デバイダが、前記少なくとも１つのプロジェクタからの前記光信号が前記画像デバイダ上に入射するように配置され、前記画像デバイダは前記少なくとも１つのプロジェクタからの前記光信号を複数の個別光信号に分割し、前記複数の個別光信号を前記前方ミラー上に向ける、
前記集光レンズが前記少なくとも１つのプロジェクタと前記画像デバイダの間の光路に、前記光信号が前記少なくとも１つのプロジェクタから投射されたときに前記光信号が前記画像デバイダに到達する前に前記集光レンズを通過するように配置され、前記集光レンズは前記少なくとも１つのプロジェクタから投射された前記光信号を高密度化する、
前記複数の集束レンズのそれぞれは前記複数の個別光信号の光路に、前記複数の個別光信号のそれぞれが前記前方ミラーに到達する前に集束レンズを通過するように配置され、前記複数の集束レンズは前記複数の光信号を前記前方ミラー上に集束させる、及び
前記前方ミラーが前記表示パネルの近傍に配置され、前記少なくとも１つの後方ミラーが前記展示棚モジュール後端の近傍に配置され、前記前方ミラーは前記複数の個別光信号を前記少なくとも１つの後方ミラー上に向けて方向転換させるように方位が定められ、前記少なくとも１つの後方ミラーは前記複数の個別光信号を前記表示パネルの前記背面上に向けて方向転換させるように方位が定められる、
ことを特徴とする請求項１８に記載の展示棚モジュール。
【請求項２０】
前記表示パネルがタッチスクリーンであり、前記表示パネルが、
前記展示棚モジュールの前記内部空間内に配置された光センサ、及び
前記展示棚モジュールの前記内部空間内に配置され、前記表示パネルの前記背面を赤外光で照明するように方位が定められた、赤外ＬＥＤ素子のアレイ、
をさらに有し、
前記光センサが、前記表示パネルの前記背面から反射された赤外光に基づいて前記表示パネルの前記背面の画像を取り込む、
ことを特徴とする請求項１９に記載の展示棚モジュール。
【請求項２１】
展示棚モジュールにおいて、
棚部であって、天板及び前記棚部をモジュール型棚システムの背板部に取り付けるため少なくとも１つの取付クリップを有する棚部、
及び
前記棚部に着脱可能な態様で結合される着脱可能なプリジェクタユニット、
を有し、
前記着脱可能なプロジェクタユニットが、
前記着脱可能なプロジェクタユニットの前面に取り付けられた表示パネル、
前記着脱可能なプロジェクタユニットの内部空間内に配置されるフローティングフレームであって、前記着脱可能なプロジェクタユニットの前記天板及び前記底板から隔てられたベースを含む、フローティングフレーム、及び
少なくとも１つのプロジェクタが内部に配置される前記着脱可能なプロジェクタユニットの前記天板及び前記底板から隔てられるように、前記着脱可能なプロジェクタユニットの内部空間内に配置され、前記フローティングフレームの前記ベース上に配置される、少なくとも１つのプロジェクタであって、前記プロジェクタが内部に配置される前記着脱可能なプロジェクタユニットの前記表示パネルの前面上に画像が見えるように、前記展示棚モジュールの前面に向かって、前記表示パネルの平面上に光信号を投射するよう配置される少なくとも１つのプロジェクタ、
を有する、
ことを特徴とする展示棚モジュール。
【請求項２２】
前記棚部が奥行きＤを有し、前記着脱可能なプロジェクタが奥行きｄを有し、Ｄ＞ｄであることを特徴とする請求項２１に記載の展示棚モジュール。
【請求項２３】
前記棚部の後端と前記着脱可能なプロジェクタユニットの背部の間に配置された少なくとも１つのアダプタコンジットをさらに有することを特徴とする請求項２１に記載の展示棚モジュール。
【請求項２４】
前記展示棚モジュールの内部空間内に位置し前記天板と前記底板との間に延在するフローティングスタンションをさらに有し、該フローティングスタンションは、前記天板又は前記底板の反りを対向する面に伝達して前記プロジェクタの位置合わせずれを防止することを特徴とする請求項１に記載のモジュール型棚システム。